(57)【要約】      （修正有）【課題】養殖海産物が付着したロープを採取船の巻き取り機に取り付け易く、養殖海産物が溜まった網を船上に容易に運び入れることのできる脱落養殖海産物回収装置を提供する。【解決手段】養殖海産物が付着したロープを採取船に取り付けられた巻き取り機で引き揚げる際に脱落した養殖海産物を回収する脱落養殖海産物回収装置において、網体１１を吊持する吊持フレーム１２を懸架する回収部用アーム１３を備える回収部１とロープから脱落した養殖海産物を回収部１に誘導するように底面がスロープを有し上面及び１つの側面が開口した函体２１、函体２１に養殖海産物を案内する誘導案内板２２、函体２１を懸架する１本の捕獲部用アーム２３を備える捕獲部２と回収部用アーム１３及び捕獲部用アーム２３を採取船に連結するアーム連結部３とを備える。【選択図】図１
0003225482.tif 000002
【実用新案登録請求の範囲】
【請求項１】
養殖海産物が付着したロープを採取船に取り付けられた巻き取り機で引き揚げる際に脱落した養殖海産物を回収する脱落養殖海産物回収装置において、
網体、該網体を吊持する吊持フレーム、該吊持フレームを懸架する回収部用アームを備える回収部と、
前記ロープから脱落した養殖海産物を前記回収部へ誘導するように底面がスロープを有し上面及び１つの側面が開口した函体、該函体に養殖海産物を案内する案内手段、前記函体を懸架する１本の捕獲部用アームを備える捕獲部と、
前記回収部用アーム及び前記捕獲部用アームを前記採取船に連結するアーム連結部
とを備えることを特徴とする脱落養殖海産物回収装置。
【請求項２】
前記回収部用アームは、回動手段を備えた１本のアームであることを特徴とする請求項１記載の脱落養殖海産物回収装置。
【請求項３】
前記回収部用アームは、前記回動手段が、回動できないように固定する固定状態と回動できるように固定を解除する解除状態とに切り替える切替手段を備えたものであることを特徴とする請求項２記載の脱落養殖海産物回収装置。
【請求項４】
前記捕獲部用アームは、長さ調整手段を備えたものであることを特徴とする請求項１ないし３記載の脱落養殖海産物回収装置。
【請求項５】
前記回収部用アームは、長さ調整手段を備えたものであることを特徴とする請求項１ないし４記載の脱落養殖海産物回収装置。
【請求項６】
前記回収部用アームは、網体高さ調整手段を備えたものであることを特徴とする請求項１ないし５記載の脱落養殖海産物回収装置。
【請求項７】
前記捕獲部用アームは、函体高さ調整手段を備えたものであることを特徴とする請求項１ないし６記載の脱落養殖海産物回収装置。
【請求項８】
前記回収部用アームは、前記吊持フレームの脱落防止手段を備えたものであることを特徴とする請求項１ないし７記載の脱落養殖海産物回収装置。
【請求項９】
前記捕獲部用アームは、前記函体の脱落防止手段を備えたものであることを特徴とする請求項１ないし８記載の脱落養殖海産物回収装置。
【請求項１０】
前記案内手段は、可撓性を有する１枚の板体から成り、当該板体に前記ロープが通過可能な間隙の深い切れ込みを連続させて形成され、前記函体の船縁側の外側側面上部に立設され、前記ロープを船内に案内するためのガイドシュータに摺接するように配置されることを特徴とする請求項１ないし９記載の脱落養殖海産物回収装置。
【考案の詳細な説明】
【技術分野】
【０００１】
本考案は、養殖ホタテガイなどの養殖海産物を吊っているロープを船に引き揚げる際にロープから脱落した養殖海産物を回収する装置に関する。
【背景技術】
【０００２】
ホタテガイの養殖では、垂下式養殖と言われる方法、すなわち、海面に養殖用の桁という太いロープを張り、その桁にホタテガイをロープに付着させた状態で海中に垂下し、成長させる方法が知られている。ホタテガイのような養殖海産物の収穫は、一般に、採取船に設けた巻き取り機により、ホタテガイを吊っているロープを海中から引き揚げて行う。船縁（ガンネル）には、ロープを船上に引き揚げるために、ガイドリールや滑らかな曲面を有するガイドシュータが取り付けられる。しかし、特に巻取り初期の段階では、ロープ自体の重さとロープに付着した養殖海産物の重さでロープが緊張し、海中から垂直に巻き上げられたロープがガイドリールやガイドシュータに最初に接する箇所や、ロープの方向が垂直から水平に変わる箇所で養殖海産物に無理な力が掛かり、養殖海産物がロープから外れ、海中に落下してしまうことが少なからずある。
【０００３】
従来、脱落した養殖海産物は、タモを使用して回収するという人力作業で行われていたが、養殖海産物の落下位置が、引き揚げられているロープの前後左右に及ぶため回収率が極めて低く、また、人件費というコスト面でも問題があった。他方、このような重労働を改善するため、機械的作業とする幾つかの提案がなされている。
【先行技術文献】
【特許文献】
【０００４】
【特許文献１】実用新案登録第３０３４４５７号公報
【特許文献２】特開平７−１５５０８５号公報
【考案の概要】
【考案が解決しようとする課題】
【０００５】
特許文献１及び２には、いずれもガイド装置の外側に、ロープから脱落した養殖海産物を捕獲する手段と、捕獲した脱落養殖海産物を収容するためのかごや網が一体形成された脱落養殖海産物を回収するための構造が記載されている。しかしながら、このように捕獲と収容との機構を一体形成した装置では、装置全体として、さらに、脱落養殖海産物の収容された状態では、相当の重量となってしまう。このため、船体やガイド装置と養殖海産物回収装置とを２箇所で連結し、場合によっては、かごや網をクレーンで吊り支える必要が生じている。このような構造を採ると、脱落養殖海産物が収容された装置を船上に引き揚げるに際し、クレーンを使用する必要が生じるなど回収作業が鈍重になってしまうという問題がある。また、桁から外したロープを引き寄せて、ロープの先端を巻き取り機に取り付ける際に、養殖海産物回収装置と船体やガイド装置との接合箇所が、ロープの引寄作業の妨げになり、作業効率が悪くなるという問題がある。
【０００６】
上記の課題に鑑み、本考案の目的は、巻き取り機へのロープの取付作業に支障を来さず、かつ、収容された脱落養殖海産物を船上に容易に運び入れることのできる脱落養殖海産物回収装置を提供することにある。
【課題を解決するための手段】
【０００７】
第１考案の脱落養殖海産物回収装置は、養殖海産物が付着したロープを採取船に取り付けられた巻き取り機で引き揚げる際に脱落した養殖海産物を回収する脱落養殖海産物回収装置において、網体、網体を吊持する吊持フレーム、吊持フレームを懸架する回収部用アームを備える回収部と、ロープから脱落した養殖海産物を回収部に誘導するためのスロープを有し上面及び１つの側面が開口した函体、函体に養殖海産物を案内する案内手段、函体を懸架する１本の捕獲部用アームを備える捕獲部と、回収部用アーム及び捕獲部用アームを採取船に連結するアーム連結部とを備えることを特徴とする。
第２考案の脱落養殖海産物回収装置は、請求項１記載の考案において、回収部用アームが、回動可能な手段を備えた１本のアームであることを特徴とする。
第３考案の脱落養殖海産物回収装置は、請求項２記載の考案において、回動手段が、回動できないように固定する固定状態と回動できるように固定を解除する解除状態とに切り替える切替手段を備えたものであることを特徴とする。
第４考案の脱落養殖海産物回収装置は、請求項１ないし３記載の考案において、捕獲部用アームが、長さ調整手段を備えたものであることを特徴とする。
第５考案の脱落養殖海産物回収装置は、請求項１ないし４記載の考案において、回収部用アームが、長さ調整手段を備えたものであることを特徴とする。
第６考案の脱落養殖海産物回収装置は、請求項１ないし５記載の考案において、回収部用アームが、網体高さ調整手段を備えたものであることを特徴とする。
第７考案の脱落養殖海産物回収装置は、請求項１ないし６記載の考案において、捕獲部用アームが、函体高さ調整手段を備えたものであることを特徴とする。
第８考案の脱落養殖海産物回収装置は、請求項１ないし７記載の考案において、吊持フレームの脱落防止手段を備えたものであることを特徴とする。
第９考案の脱落養殖海産物回収装置は、請求項１ないし８記載の考案において、函体の脱落防止手段を備えたものであることを特徴とする。
第１０考案の脱落養殖海産物回収装置は、請求項１ないし９記載の考案において、案内手段が、可撓性を有する１枚の板体から成り、板体にロープが通過可能な間隙の深い切れ込みを連続させて形成され、函体の船縁側の外側側面上部に立設され、前記ロープを船内に案内するためのガイドシュータに摺接するように配置されることを特徴とする。
【考案の効果】
【０００８】
第１考案によれば、脱落養殖海産物回収装置を捕獲部と回収部とに分割したので、捕獲部と回収部とをそれぞれ軽量に設計できる。函体の底面が回収部方向へ傾斜するスロープであることから、脱落捕獲した養殖海産物はスロープに沿って滑り、開口された側面から回収部の網体に流れ込むため、捕獲部は、軽量な状態を維持することができる。このため、捕獲部は、１本のアームを用いて片持ちで採取船に連結できる。この１本のアームを回収部側に配置することで、捕獲部は、回収前のロープ側で開放されているため、回収前のロープの引寄作業への支障はほとんど生じない。このようにして、桁から回収前のロープを外し、巻き取り機へ繋ぐ作業を素早く行うことが可能となる。
【０００９】
第２考案によれば、脱落養殖海産物回収装置を捕獲部と回収部とに分割したことにより軽量設計可能となった回収部は、１本のアームのみで網体を吊持する吊持フレームを支えることが可能となる。脱落養殖海産物を収容した網体の回収作業は、回動可能な手段を備えた１本のアームであるが故に、軽快かつ容易に、網体をアームごと人力で採取船へ引き寄せ、海面上に引き上げ、採取船内に取り込むことができる。
【００１０】
第３考案によれば、回動手段が更に切替手段を備えたので、波の動きがあっても、捕獲作業時には回収部用アームを固定状態にし、網体を函体に近接した状態に維持できるため、函体から滑り落ちてくる脱落養殖海産物を網体へ確実に回収することができる。
【００１１】
第４考案によれば、捕獲部用アームが長さ調整手段を備えているので、ガイドシュータなどの案内手段の機構や形状に合わせて、あるいは採取船の大きさに即して、函体や誘導案内板を適切な位置に設定することが可能となる。
【００１２】
第５考案によれば、回収部用アームが長さ調整手段を備えているので、函体の位置に合わせ、網体を適切な位置に設定することが可能となる。このことにより、脱落養殖海産物の回収率を高めることができる。
【００１３】
第６考案によれば、回収部用アームが網体高さ調整手段を備えているので、採取船の大きさに即して、捕獲作業時に脱落養殖海産物が累積する網体が浮力の働く海面下に位置するよう網体を適切に設定することが可能となる。
【００１４】
第７考案によれば、捕獲部用アームが函体高さ調整手段を備えているので、網体の位置に合わせ、函体を適切な位置に設定することが可能となる。このことにより、脱落養殖海産物の回収率を高めることができる。
【００１５】
第８考案によれば、回収部用アームが吊持フレームの脱落防止手段を備えているので、回収部用アームの長さ調整手段や網体高さ調整手段に事故が生じた場合でも、網体の付いた吊持フレームの脱落を防ぎ、また、網体内の脱落養殖海産物の損失を防ぐことができる。
【００１６】
第９考案によれば、捕獲部用アームが函体の脱落防止手段を備えているので、回収部用アームの長さ調整手段や函体高さ調整手段に事故が生じた場合でも、誘導案内板の付いた函体の脱落を防ぐことができる。
【００１７】
第１０考案によれば、案内手段が、可撓性を有する１枚の板体にロープが通過可能な間隙の深い切れ込みを連続させて形成され、函体の船縁側の外側側面上部に立設された構成なので、海流でロープが流されたとしても、ロープが案内手段から、一気に外れたり、不適切な位置に寄ってしまうことを防止できる。
【図面の簡単な説明】
【００１８】
【図１】本考案の一実施形態に係る脱落養殖海産物回収装置を船縁に配置した状態を海側から見た正面図である。
【図２】脱落養殖海産物回収装置の平面図である。
【図３】（ａ）図は脱落養殖海産物回収装置の回収部の右側面図、（ｂ）図は捕獲部の右側面図である。
【図４】回収部用アームを旋回させた際の説明図である。
【図５】回収部を右側面から見た拡大図である。
【図６】アーム連結部を船内側から見た拡大図である。
【図７】本考案の一実施形態に係る長さ調整手段の拡大図である。
【図８】（ａ）図は回収部用アームの回動手段及び解除した切替手段の拡大図、（ｂ）図は固定した切替手段の拡大図である。
【図９】網体高さ調整手段の拡大図である。
【図１０】捕獲部を左側面から見た拡大図である。
【図１１】（ａ）図は函体に誘導案内板を取り付けた拡大図、（ｂ）図は取り付け前の拡大図である。
【図１２】回収部用アームの回動手段の変形例の説明図である。
【考案を実施するための形態】
【００１９】
以下、図面を参照して、本考案の実施の形態を説明する。以下の図面の記載において、同一又は類似の部分には同一又は類似の符号を付している。ただし、図面は模式的なものである。したがって、具体的な寸法は以下の説明を参酌して判断すべきである。また、図面相互間においても互いの寸法の関係や比率が異なる部分が含まれていることはもちろんである。また、以下に示す実施の形態は、本考案の技術的思想を具体化するための装置を例示するものであって、本考案の技術的思想は、構成部品の材質、形状、構造、配置等を以下のものに特定するものではない。本考案の技術的思想は、実用新案登録請求の範囲に記載された請求項が規定する技術的範囲において、種々の変更を加えることができる。
【００２０】
本考案の脱落養殖海産物回収装置は、図１及び図２に示すように、ロープから脱落した養殖海産物を捕獲する捕獲部２と、捕獲部２を経由して滑り落ちてきた養殖海産物を一定量溜めおく回収部１と、捕獲部２及び回収部１にそれぞれ備えられるアームを採取船に連結するための連結部３により構成される。
【００２１】
捕獲部２は、函体２１の船側側面上部に案内手段としての誘導案内板２２が設けられ、１本の捕獲部用アーム２３によって、函体２１と船縁に配置される連結部３とが連結されるよう構成されている。
【００２２】
函体２１は、図１ないし図３に示すように、平面視略長方形で、上面及び回収部１側の側面が開口し、底面が回収部１側に傾斜し、長手方向の海側側面が船側側面よりも高くなるように形成される。この函体２１は、軽量で強度の高い防錆性を有する素材で作成される。素材としては、繊維強化プラスチック（ＦＲＰ）やステンレスなどが好ましい。
【００２３】
誘導案内板２２は、図１１に示すように、柄部２２ａと、柄部２２ａから柄部２２ａの長手方向に延びる複数の短冊状の短冊部２２ｂとで櫛形形状をなし、各短冊部２２ｂは、上部が円弧状に、また、それぞれの間隙は、ロープが通過できる程度の幅に形成される。
函体２１には、捕獲部用アーム２３への取付けと函体２１を保持するための函保持体２１ａが設けられる。本実施形態では、函保持体２１ａは、捕獲部２の軽量化を図るため、図１及び図１０に示すように、函体２１を載嵌できるように、丸棒を函体２１の形状に合わせるように折り曲げて、適宜の箇所に金属製小片を溶接し、この金属製小片と函体２１とをネジ止めにより止着している。
函体２１の長手方向の一辺の上部と柄部２２ａには、図示していないが、それぞれ金属板の取付ステーが、複数のネジ止めにより横設される。それぞれの取付ステーには、図１１に示すように、互い違いに中空円筒が設けられ、互いの中空円筒を一直線上に配置して、円筒の中空部に丸棒を通して、函体２１に誘導案内板２２が取り付けられる。
【００２４】
誘導案内板２２は薄い１枚の合成樹脂を成形して作成される。用いられる合成樹脂としては、耐久性と可撓性を有するポリカーボネートが好ましい。
誘導案内板２２は、図１ないし図３に示すように、函体２１の船側側面上部に設けられ、先端部がガイドシュータ４に摺接するように配置される。
このように構成、配置することにより、ロープに付いた養殖海産物が短冊部２２ｂの下面に当たっても、短冊部２２ｂを押し上げ、養殖海産物は脱落することなく誘導案内板２２の上方へと通過できる。
他方、誘導案内板２２を通過した後に、ロープがガイドシュータ４に接触する箇所で養殖海産物に無理な力が掛かり、養殖海産物がロープから外れたとしても、ロープから脱落した養殖海産物が函体２１の上面開口部から直接に、又は採取船側に弾け飛んだ養殖海産物であれば、函体２１の船側側面上部に設けられる誘導案内板２２に案内されて、若しくは海側に弾け飛んだものは海側側面の内側にぶつかった後に函体２１内に捕獲される。
また、引き揚げ作業時に海水の荒れによりロープが揺り動かされることがあるが、短冊部２２ｂのいずれかの隙間にロープが入り込むことで、ロープの移動を最小限に抑え、ロープが誘導案内板２２の左右方向に外れることを防止する。短冊部２２ｂを乗り越える際のロープの断裂防止の点から、各短冊部２２ｂは面取りされ、また、十分な可撓性と破損防止の両面から長手方向の長さは２５センチメートルないし３０センチメートルが好ましい。
【００２５】
捕獲部用アーム２３は、図１及び図３に示すように、正面視と側面視いずれも略Ｌ字状に形成されている。捕獲部用アーム２３は、函体２１及び誘導案内板２２を支える機能を必要としているので、本実施形態では、強度と防錆性を有するステンレス製の管体で作成されている。
図６に示すように、捕獲部用アーム２３の一端は、船縁に設けられるアーム連結部３に突設された捕獲部用アーム支柱３３に挿嵌してネジ止めにより締結される。
図１及び図１０に示すように、捕獲部用アーム２３のうち船縁に対し平行な一辺に、誘導案内板２２が設けられた函体２１が取り付けられる。
【００２６】
捕獲アーム長さ調整手段２４ａは、図７に示すように、ネジと、ネジ孔を有す外管と、中管とで構成され、図５に示すように、略Ｌ字状の捕獲部用アーム２３の水平部分に設けられる。中管を前後にスライドさせ、捕獲部用アーム２３を所望の長さとした上で、ネジにより押止する。
【００２７】
函体高さ調整手段２４ｂも、図７に示すように、ネジと、ネジ孔を有す外管と、中管とで構成され、図５に示すように、側面視略Ｌ字状の捕獲部用アーム２３の垂直部分に設けられる。中管を上下にスライドさせ、函体２１を所望の高さに合わせ、ネジにより押止する。
【００２８】
このように捕獲アーム長さ調整手段２４ａや函体高さ調整手段２４ｂを設けることにより、ガイドシュータ４などの案内手段の機構や形状に合わせて、あるいは採取船の大きさに即して、捕獲部２の函体２１を適切な位置に配置することが可能となる。
【００２９】
捕獲部用アーム２３に、捕獲アーム長さ調整手段２４ａや函体高さ調整手段２４ｂを設けた場合には、さらに函体脱落防止手段２５を設けることが好ましい。
本実施形態の函体脱落防止手段２５は、図５に示すように、捕獲部用アーム２３の表面に配置された複数のリング体と、図示していないが、リング体を締結するロープ体により構成される。複数のリング体のうち、少なくとも１つは、捕獲部用アーム２３の捕獲アーム長さ調整手段２４ａの被嵌入側の箇所に、また、少なくとも他の１つは、函体高さ調整手段２４ｂの嵌入側の箇所に配置される。さらに、ロープ体が捕獲作業の邪魔にならないよう側面視略Ｌ字状の捕獲部用アーム２３の屈曲箇所にリング体を配置することが好ましい。船内側のリング体にロープ体を締結し、順次リング体を通し、最も海側に配置されたリング体にロープ体を締結させる。このように、リング体を配置し、ロープ体を締結することで、捕獲アーム長さ調整手段２４ａや函体高さ調整手段２４ｂのネジ止めが緩み、それぞれの調整手段の海側の捕獲部用アーム２３が抜けたとしても、ロープ体によって海中への落下を防止することができる。
【００３０】
回収部１は、図１ないし図３に示すように、網体１１、網体１１を吊持する吊持フレーム１２、吊持フレーム１２と採取船と連結する回収部用アーム１３によって構成される。回収部用アーム１３に用いられる素材としては、防錆性と強度を持つステンレスが好ましい。
【００３１】
吊持フレーム１２は、網枠１２ａ及び吊下枠１２ｂから構成され、全体の形状が、網枠１２ａを底面とした四角錐状になるように形成される。平面視四角形状の網枠１２ａには、脱落した養殖海産物を確保し、一時的に収容するための網体１１が取り付けられる。吊持フレーム１２に用いられる素材としては、防錆性と強度を持つステンレスが好ましい。また、網体１１には、漁網が用いられる。
【００３２】
網枠１２ａは、図２に示すように、１辺の長さが函体２１の側面開口部の横幅より幅広に形成される。函体２１の底面スロープを滑り、側面開口部から落ちてくる脱落養殖海産物を、確実に確保できるようにするためである。吊下枠１２ｂは、四角形状である網枠１２ａの四隅で溶接等により固着される。
【００３３】
図８の（ａ）図に示すように、回収部用アーム１３の上下回動手段１５ｂは、回収部用アーム１３が短アーム１３ａと長アーム１３ｂとに分割され、短アーム１３ａと長アーム１３ｂの各一端が垂直方向に平らになるよう板状に形成され、板状の両端同士がネジにより枢結され、回収部用アーム１３が枢結箇所から下方に折れ曲がらないようにするための樋状の回収アーム受け部１６が短アーム１３ａと長アーム１３ｂのそれぞれの下面をまたがるように配置されるよう構成される。
回収部用アーム１３の左右回動手段１５ａは、回収部用アーム支柱３２に、短アーム１３ａの他端が遊嵌されて構成される。捕獲時には、回収部用アーム支柱３２に備えられたネジにより短アーム１３ａが押止され、回収時にはこのネジを緩めることで、水平方向に回動可能となる。
長アーム１３ｂは、図４に示すように、略Ｌ字状に形成され、一端は上述のように、短アーム１３ａに枢結され、他端には、吊持フレーム１２が緊結される。
【００３４】
上下回動手段１５ｂとして、本実施形態のように回収部用アーム１３が短アーム１３ａと長アーム１３ｂとに分割され、回収アーム受け部１６が配置されるよう構成された場合、網体１１が波の影響で上下すると、吊持フレーム１２を介し、長アーム１３ｂが、短アーム１３ａとの枢結箇所を軸として、回収アーム受け部１６の上方で上下してしまうおそれがある。そこで、長アーム１３ｂを固定する固定状態と回動できるように固定を解除する解除状態とに切り替える切替手段を設けることが好ましい。切替手段は、図８に示すように、回収アーム受け部１６の海側端部に配置されたリング状の固定孔１７ｂと、固定孔１７ｂに挿嵌される突起を有し、長アーム１３ｂの下面に配置された固定レバー１７ａにより構成される。
捕獲時には、固定レバー１７ａの突起を固定孔１７ｂに挿嵌し、回収部用アーム１３を水平に一直線状に維持させる。他方、回収時には、固定レバー１７ａの突起を固定孔１７ｂから外し、図４に示すように、長アーム１３ｂを網体１１ごと持ち上げる。
【００３５】
本実施形態の網体高さ調整手段は、図９に示すように、吊持フレーム１２の上部に設けられた長アーム１３ｂを嵌挿し得る径を有する筒体１４ｂと、筒体１４ｂ側面に配置された複数のネジにより構成される。網体１１を吊持した吊持フレーム１２の前記筒体の上方から長アーム１３ｂを嵌挿し、所望の位置に吊持フレーム１２をスライドさせ、筒体側面のネジにより長アーム１３ｂを押止することで、網体１１の高さを調整することができる。
【００３６】
回収アーム長さ調整手段１４ａは、図７に示すように、ネジと、ネジ孔を有す外管と、中管とで構成され、図４に示すように、Ｌ字状に屈曲した長アーム１３ｂの短アーム１３ａ側の直線状の部分に設けられる。中管を前後にスライドさせ、回収部用アーム１３を所望の長さとした上で、ネジにより押止する。
【００３７】
このように回収アーム長さ調整手段１４ａや網体高さ調整手段１４ｂを設けることにより、捕獲部２の函体２１の位置に合わせ、網体１１を適切な位置に配置することが可能となる。
【００３８】
本実施形態の回収部フレーム脱落防止手段１８は、図４に示すように、長アーム１３ｂの表面に配置された複数のリング体と、図示していないが、リング体と吊持フレーム１２とを締結するロープ体により構成される。複数のリング体のうち、少なくとも１つは、回収アーム長さ調整手段１４ａの被嵌入側の箇所に、また、少なくとも他の１つは、嵌入側の適宜の箇所に配置される。ロープ体が捕獲や回収作業の邪魔にならないよう略Ｌ字状の長アーム１３ｂの屈曲箇所にリング体を配置することが好ましい。
船内側のリング体にロープ体を締結し、順次リング体を通し、吊持フレーム１２に直接ロープ体を締結させる。ロープ体が邪魔にならないよう吊持フレーム１２上部に結び付けることが好ましい。このように、リング体を配置し、ロープ体を締結することで、回収アーム長さ調整手段１４ａや網体高さ調整手段１４ｂのネジ止めが緩み、それぞれの調整手段の海側の部分が抜けた場合でも、ロープ体によって海中への落下を防止することができる。
【００３９】
アーム連結部３は、防錆処理が施された剛性の高い金属を素材とした、連結板３１、回収部用アーム支柱３２、捕獲部用アーム支柱３３、外掛止部３４及び内掛止部３５から構成される。図６に示すように、長方形上の連結板３１の上面海側に、中空円柱の回収部用アーム支柱３２及び捕獲部用アーム支柱３３が突設され、回収部用アーム支柱３２及び捕獲部用アーム支柱３３のそれぞれの外側には、外掛止部３４が平行に、さらに、外掛止部３４のそれぞれの外側には、内掛止部３５が配置される。
回収部用アーム支柱３２及び捕獲部用アーム支柱３３は、それぞれの下部が連結板３１に接する面で、また、それぞれが外掛止部３４と接する箇所で、溶接等で固着して形成される。
外掛止部３４は、図１０に示すように、側面視略Ｌ字状で、長方形の板体の短手方向の１辺に丸棒が船縁の海側に垂れ下がるように溶接等で固着して形成され、長手方向の１辺で連結板３１に溶接等で固着される。
内掛止部３５は、図４及び図６に示すように、ネジと、ネジ孔を有し溶接等で連結板３１に溶接された中空円柱と、この円柱中空に挿入され直角に屈曲したネジ孔を有する丸棒で構成される。
【００４０】
つぎに、本考案の脱落養殖海産物回収装置の設置方法について説明する。
図３に示すように、通常は左舷の船縁上面にアーム連結部３が配置される。
先ず、図５に示すように、外掛止部３４の垂れ下がった部位を船縁の外側に密接させて、連結板３１を船縁上面に載置する。図６に示すように、船縁の短手の幅に合わせ、内掛止部３５の中空円柱に挿入された丸棒をスライドさせて位置決めした後、中空円柱と丸棒をネジ止めにより締結する
図２に示すように、ガイドシュータ４は、アーム連結部３の近傍の船の進行方向側に設置される。捕獲部２には、予め函体脱落防止手段２５としてのリング体にロープ体を締結された状態で、函体２１を下ろしつつ、誘導案内板２２の短冊部２２ｂ先端がガイドシュータ４に摺接するように配置させ、捕獲部用アーム２３の端を捕獲部用アーム支柱３３に挿嵌してネジ止めにより締結する。
回収部１には、予め回収部フレーム脱落防止手段１８としてロープ体によりリング体と吊持フレーム１２とが締結された状態で、短アーム１３ａの先端を、回収部用アーム支柱３２に挿嵌し、ネジで緩嵌する。しかる後、回収アーム受け部１６上面に、長アーム１３ｂを載せ、短アーム１３ａと一直線にした状態で、固定レバー１７ａ突起を固定孔１７ｂに挿嵌し、網体１１の位置が函体２１に近接するよう長さと高さを調整する。
以上のようにして、養殖海産物の引き揚げ前における脱落養殖海産物回収装置の設置が完了する。
【００４１】
つぎに、本考案の脱落養殖海産物回収装置の使用方法について説明する。
桁に結ばれた引き揚げ前のロープに船体を寄せ、桁からロープを外し、ガイドシュータ４と短冊部２２ｂの先端との間を通し、短冊部２２ｂの中ほどの隙間まで手繰り寄せ、ロープを船体内に引き入れて、ロープの先端を巻き上げ機に結び付ける。このとき、捕獲部用アーム２３は回収部１側に配置されているので、ロープの手繰寄せ作業の邪魔になることがない。
【００４２】
巻き上げ機でロープを巻き上げると、ロープに付いた養殖海産物は、脱落することなく誘導案内板２２を押し上げるようにしながら、ガイドシュータ４との間を通過し、採取船内に引き揚げられる。このように誘導案内板２２を通過した養殖海産物は、大多数が採取船内にロープに付着した状態で引き揚げられるものの、ロープがガイドシュータ４に接する箇所でロープの引き揚げ方向が変化して、養殖海産物に無理な力が掛かり、脱落するものが生じてしまう。ガイドシュータ４まで引き揚げられた後に、ロープから脱落した養殖海産物は、函体２１の上面開口部から直接に、あるいは誘導案内板２２に案内されて、函体２１内に捕獲される。こうして、函体２１内に捕獲された養殖海産物は、函体２１底面のスロープを滑り落ち、側面開口部から網体１１内に収容される。
【００４３】
網体１１に収容された脱落養殖海産物が一定量に達したら、人力で、図４に示すように、網体１１を回収部用アーム１３ごと、捕獲部２の反対方向に旋回させるように船に引き寄せ、回収アーム切替手段１７を解除させて、船縁を乗り越えて船内に引き入れ、脱落養殖海産物を船内に回収する。
このように回収して、網体１１内を空にした後、回収部用アーム１３を船外に出し、短アーム１３ａと長アーム１３ｂを一直線上にし、回収アーム切替手段１７をロックさせて、次の引き揚げ作業を継続する。
【００４４】
つぎに、本考案の他の実施形態を説明する。
前記実施形態では、案内手段の構成として、可撓性を有する合成樹脂を素材とした１枚の板体を、柄部と短冊部からなる櫛形形状に形成されるものとしたが、この短冊部に相当する部分を可撓性を有する複数の板体から成り、函体２１の船縁側の外側側面上部に並設されるものとしてもよい。また、合成樹脂を素材とした板体に代えて、函体２１の船側側面上部にピアノ線を植設するものとしても良い。
【００４５】
また、前記実施形態では、回収部用アーム１３の回動手段を、短アーム１３ａを回収部用アーム支柱３２に遊貫させ、短アーム１３ａと長アーム１３ｂの枢結箇所を回収アーム受け部１６に載置させるように構成したが、図１２に示すように、連結部３上に、長方形の板体により、長手方向の一側面が開口する格納部を配置させるように構成されるものとしても良い。この場合、短アーム１３ａと長アーム１３ｂの枢結箇所が格納部に収められ、短アーム１３ａの一端に上下方向のネジ通し孔が設けられ、ネジにより枢結された短アーム１３ａが格納部に緩嵌され、水平方向に回動自在となるように構成される。
このように構成することで、捕獲時には、短アーム１３ａと長アーム１３ｂの枢結箇所が格納された状態になり、回収部用アーム１３は網体１１を一定の高さで吊り下げ保持できる。回収時には、回収部用アーム１３を旋回させることで、短アーム１３ａと長アーム１３ｂの枢結箇所が解放され、上下に回動可能となる。
【００４６】
以上説明した本考案の脱落養殖海産物回収装置は、上記した実施形態のみの構成に限定されるものではなく、実用新案登録請求の範囲に記載した本考案の本質を逸脱しない範囲内において、種々の変更を加えることができる。
【符号の説明】
【００４７】
１    回収部
１１  網体
１２  吊持フレーム
１２ａ網枠
１２ｂ吊下枠
１３  回収部用アーム
１３ａ短アーム
１３ｂ長アーム
１４ａ回収アーム長さ調整手段
１４ｂ網体高さ調整手段
１５ａ左右回動手段
１５ｂ上下回動手段
１６  回収アーム受け部
１７  回収アーム切替手段
１７ａ固定レバー
１７ｂ固定孔
１８  回収部フレーム脱落防止手段
２    捕獲部
２１  函体
２１ａ函保持体
２２  誘導案内板
２２ａ柄部
２２ｂ短冊部
２３  捕獲部用アーム
２４ａ捕獲アーム長さ調整手段
２４ｂ函体高さ調整手段
２５  函体脱落防止手段
３    アーム連結部
３１  連結板
３２  回収部用アーム支柱
３３  捕獲部用アーム支柱
３４  外掛止部
３５  内掛止部
４    ガイドシュータ
５    ガンネル
【図１】
0003225482.tif 000003
【図２】
0003225482.tif 000004
【図３】
0003225482.tif 000005
【図４】
0003225482.tif 000006
【図５】
0003225482.tif 000007
【図６】
0003225482.tif 000008
【図７】
0003225482.tif 000009
【図８】
0003225482.tif 000010
【図９】
0003225482.tif 000011
【図１０】
0003225482.tif 000012
【図１１】
0003225482.tif 000013
【図１２】
0003225482.tif 000014